【手続補正書】
【提出日】平成23年10月5日(2011.10.5)
【手続補正１】
【補正対象書類名】特許請求の範囲
【補正対象項目名】全文
【補正方法】変更
【補正の内容】
【特許請求の範囲】
【請求項１】
一つのキーが複数個に分割されてなり、
前記分割された各々の部分が単独で押下された場合、それに対応した信号が出力され、前記分割された各々の部分の中の複数個が共に押下された場合、前記単独で押下された場合の出力信号とは異なる信号が出力されるよう信号伝達手段が設けられてなる
ことを特徴とする入力装置。
【請求項２】
前記複数個が共に押下された場合に出力される信号は、前記複数個が何れの順で押下されたかによらず、前記複数個の組合せにより決定される
ことを特徴とする請求項１の入力装置。
【請求項３】
前記複数個の組合せは、押下開始から所定時間内に共に押圧されることにより確定される
ことを特徴とする請求項１又は請求項２の入力装置。
【請求項４】
１〜９，０の数字が割り当てられたキー「１」「２」「３」「４」「５」「６」「７」「８」「９」「０」を具備した入力装置であって、
前記キー「１」「２」「３」「４」「５」「６」「７」「８」「９」「０」の押圧部一つ一つが二つ以上に分割されると共に、前記分割された部分に対応して各々信号伝達手段が設けられており、
前記分割された部分に文字が割り当てられてなる
ことを特徴とする入力装置。
【請求項５】
１〜９，０の数字が割り当てられたキー「１」「２」「３」「４」「５」「６」「７」「８」「９」「０」を具備した入力装置であって、
前記キー「１」の押圧部が物理的に二つ以上に分割されて分割キー「１ｗ」「１ｅ」…の押圧部が構成され、
前記キー「２」の押圧部が物理的に二つ以上に分割されて分割キー「２ｒ」「２ｔ」…の押圧部が構成され、
前記キー「３」の押圧部が物理的に二つ以上に分割されて分割キー「３ｏ」「３ｐ」…の押圧部が構成され、
前記キー「４」の押圧部が物理的に二つ以上に分割されて分割キー「４ａ」「４ｓ」…の押圧部が構成され、
前記キー「５」の押圧部が物理的に二つ以上に分割されて分割キー「５ｙ」「５ｕ」…の押圧部が構成され、
前記キー「６」の押圧部が物理的に二つ以上に分割されて分割キー「６ｉ」「６ｌ」…の押圧部が構成され、
前記キー「７」の押圧部が物理的に二つ以上に分割されて分割キー「７ｄ」「７ｆ」…の押圧部が構成され、
前記キー「８」の押圧部が物理的に二つ以上に分割されて分割キー「８ｇ」「８ｈ」…の押圧部が構成され、
前記キー「９」の押圧部が物理的に二つ以上に分割されて分割キー「９ｊ」「９ｋ」…の押圧部が構成され、
前記キー「０」の押圧部が物理的に二つ以上に分割されて分割キー「０ｎ」「０ｍ」…の押圧部が構成され、
前記分割キー「１ｗ」「１ｅ」「２ｒ」「２ｔ」「３ｏ」「３ｐ」「４ａ」「４ｓ」「５ｙ」「５ｕ」「６ｉ」「６ｌ」「７ｄ」「７ｆ」「８ｇ」「８ｈ」「９ｊ」「９ｋ」「０ｎ」「０ｍ」…の押圧部に対応して信号伝達手段が設けられており、
前記分割キー「１ｗ」「１ｅ」「２ｒ」「２ｔ」「３ｏ」「３ｐ」「４ａ」「４ｓ」「５ｙ」「５ｕ」「６ｉ」「６ｌ」「７ｄ」「７ｆ」「８ｇ」「８ｈ」「９ｊ」「９ｋ」「０ｎ」「０ｍ」…には異なる文字が割り当てられてなる
ことを特徴とする入力装置。
【請求項６】
前記文字が欧文字である
ことを特徴とする請求項４又は請求項５の入力装置。
【請求項７】
前記文字がカタカナ文字または平仮名文字である
ことを特徴とする請求項４又は請求項５の入力装置。
【請求項８】
文字入力に際して、「１」に対応する分割キー「１ｗ」「１ｅ」…の押圧部の中の異なる押圧部の二つ以上が所定時間Ｔ内において共に押圧されている場合、「２」に対応する分割キー「２ｒ」「２ｔ」…の押圧部の中の異なる押圧部の二つ以上が所定時間Ｔ内において共に押圧されている場合、「３」に対応する分割キー「３ｏ」「３ｐ」…の押圧部の中の異なる押圧部の二つ以上が所定時間Ｔ内において共に押圧されている場合、「４」に対応する分割キー「４ａ」「４ｓ」…の押圧部の中の異なる押圧部の二つ以上が所定時間Ｔ内において共に押圧されている場合、「５」に対応する分割キー「５ｙ」「５ｕ」…の押圧部の中の異なる押圧部の二つ以上が所定時間Ｔ内において共に押圧されている場合、「６」に対応する分割キー「６ｉ」「６ｌ」…の押圧部の中の異なる押圧部の二つ以上が所定時間Ｔ内において共に押圧されている場合、「７」に対応する分割キー「７ｄ」「７ｆ」…の押圧部の中の異なる押圧部の二つ以上が所定時間Ｔ内において共に押圧されている場合、「８」に対応する分割キー「８ｇ」「８ｈ」…の押圧部の中の異なる押圧部の二つ以上が所定時間Ｔ内において共に押圧されている場合、「９」に対応する分割キー「９ｊ」「９ｋ」…の押圧部の中の異なる押圧部の二つ以上が所定時間Ｔ内において共に押圧されている場合、「０」に対応する分割キー「０ｎ」「０ｍ」…の押圧部の中の異なる押圧部の二つ以上が所定時間Ｔ内において共に押圧されている場合、時間的に一番最初に押圧された分割キー押圧部からの信号のみを有効とする処理を行なう制御部を具備してなる
ことを特徴とする請求項４〜請求項７いずれかの入力装置。
【手続補正２】
【補正対象書類名】明細書
【補正対象項目名】００１２
【補正方法】変更
【補正の内容】
【００１２】
前記の課題は、
一つのキーが複数個に分割されてなり、
前記分割された各々の部分が単独で押下された場合、それに対応した信号が出力され、前記分割された各々の部分の中の複数個が共に押下された場合、前記単独で押下された場合の出力信号とは異なる信号が出力されるよう信号伝達手段が設けられてなる
ことを特徴とする入力装置によって解決される。
又、１〜９，０の数字が割り当てられたキー「１」「２」「３」「４」「５」「６」「７」「８」「９」「０」を具備した入力装置であって、
前記キー「１」の押圧部が物理的に二つ以上に分割されて分割キー「１ｗ」「１ｅ」…の押圧部が構成され、
前記キー「２」の押圧部が物理的に二つ以上に分割されて分割キー「２ｒ」「２ｔ」…の押圧部が構成され、
前記キー「３」の押圧部が物理的に二つ以上に分割されて分割キー「３ｏ」「３ｐ」…の押圧部が構成され、
前記キー「４」の押圧部が物理的に二つ以上に分割されて分割キー「４ａ」「４ｓ」…の押圧部が構成され、
前記キー「５」の押圧部が物理的に二つ以上に分割されて分割キー「５ｙ」「５ｕ」…の押圧部が構成され、
前記キー「６」の押圧部が物理的に二つ以上に分割されて分割キー「６ｉ」「６ｌ」…の押圧部が構成され、
前記キー「７」の押圧部が物理的に二つ以上に分割されて分割キー「７ｄ」「７ｆ」…の押圧部が構成され、
前記キー「８」の押圧部が物理的に二つ以上に分割されて分割キー「８ｇ」「８ｈ」…の押圧部が構成され、
前記キー「９」の押圧部が物理的に二つ以上に分割されて分割キー「９ｊ」「９ｋ」…の押圧部が構成され、
前記キー「０」の押圧部が物理的に二つ以上に分割されて分割キー「０ｎ」「０ｍ」…の押圧部が構成され、
前記分割キー「１ｗ」「１ｅ」「２ｒ」「２ｔ」「３ｏ」「３ｐ」「４ａ」「４ｓ」「５ｙ」「５ｕ」「６ｉ」「６ｌ」「７ｄ」「７ｆ」「８ｇ」「８ｈ」「９ｊ」「９ｋ」「０ｎ」「０ｍ」…の押圧部に対応して信号伝達手段が設けられており、
前記分割キー「１ｗ」「１ｅ」「２ｒ」「２ｔ」「３ｏ」「３ｐ」「４ａ」「４ｓ」「５ｙ」「５ｕ」「６ｉ」「６ｌ」「７ｄ」「７ｆ」「８ｇ」「８ｈ」「９ｊ」「９ｋ」「０ｎ」「０ｍ」…には異なる文字が割り当てられてなる
ことを特徴とする入力装置によって解決される。